(57)【要約】【課題】シールド板金などの追加パーツを用いることなく、チューナの金属ケースを液晶モジュールのリアフレームに直接接地すると同時に強固に固定することができ、チューナコネクタの直近部分の接地を強化することもできるチューナ接地構造を提供する。【解決手段】液晶モジュール３の板金製のリアフレーム３ａに絞り部３ｊを形成し、チューナ１を搭載したプリント配線基板２をリアフレームに３ａ重ねて、チューナ１の金属ケース１ａのチューナコネクタ１ｄ直近箇所とプリント配線基板２を金属製のビス４で絞り部３ｊに共締め固定したチューナ接地構造とする。チューナの金属ケースをチューナコネクタ直近箇所でビスによりリアフレームの絞り部に共締め固定して導通、接地するので、チューナの固定強度が大きく、追加パーツが不要となり、チューナコネクタ直近箇所の接地を強化できる。【選択図】図１
2010212330.tif 000002
【特許請求の範囲】
【請求項１】
液晶モジュールの板金製のリアフレームに隆起した絞り部を形成し、チューナを搭載したプリント配線基板をリアフレームに重ねて、チューナの金属ケースとプリント配線基板を金属製のビスでリアフレームの絞り部に共締め固定したことを特徴とするチューナ接地構造。
【請求項２】
チューナの金属ケースのチューナーコネクタ直近箇所をビスで共締め固定したことを特徴とする請求項１に記載のチューナ接地構造。
【発明の詳細な説明】
【技術分野】
【０００１】
本発明は液晶テレビにおけるチューナ接地構造に関し、特に、シールド板金等の追加パーツを用いないで、チューナの金属ケースのＧＮＤ電位を液晶モジュールのリアフレームのＧＮＤ電位に落とすように改良したチューナ接地構造に関する。
【背景技術】
【０００２】
従来の薄型の液晶テレビにおいては、チューナを搭載したメインのプリント配線基板を液晶モジュールの板金製のリアフレームに重ね、プリント配線基板を数箇所でリアフレームにビス止めしている。このプリント配線基板に搭載されたチューナは、その金属ケースにシールド板金等の追加パーツを取付け、金属ケースのＧＮＤ電位を液晶モジュールのリアフレームのＧＮＤ電位に落すようにしている。
【０００３】
また、チューナ用配線基板を収納保持したチューナの金属ケースの内部にシールド板を配設し、このシールド板の下端部に形成された槍型の二つ割りの脚部をチューナ用配線基板の開口に挿通した後、脚部を押し広げて配線基板の裏面の接地用導体と接触させた状態でハンダ付けしたチューナも知られている（特許文献１）。
【先行技術文献】
【特許文献】
【０００４】
【特許文献１】特開２０００−３３２４５１号公報
【発明の概要】
【発明が解決しようとする課題】
【０００５】
しかしながら、従来の液晶テレビにおけるチューナのように、シールド板金等の追加パーツを介してチューナの金属ケースを液晶モジュールのリアフレームに接地する場合は、追加パーツ代が高く、組立工数も増加するため、大幅なコストアップになるという問題があった。しかも、チューナが液晶モジュールのリアフレームに直接ビス止めされていないため、チューナの固定強度について一抹の不安があった。また、液晶テレビのチューナは、アンテナからのコネクタピンが差し込まれるチューナコネクタの直近部分の接地を強化することによって電波規格等への対応改善を図ることが望ましいのであるが、上記のようにシールド板金等を用いて接地する場合は、チューナコネクタの直近部分の接地を強化することが容易でないという問題もあった。
【０００６】
一方、前記特許文献１のチューナのように、シールド板に形成された槍型の二つ割りの脚部をチューナ用配線基板の開口に挿通し、脚部を押し広げて配線基板の裏面の接地用導体に接触させた状態でハンダ付けして接地する場合は、脚部を押し広げて接地用導体にハンダ付けする接続固定作業が面倒で、作業性に劣るという問題があり、また、このような接地構造を従来の液晶テレビのチューナに適用しても、チューナの金属ケースを液晶モジュールのリアフレームに直接接地することも固定することもできない。
【０００７】
本発明は上記事情の下になされたもので、その解決しようとする課題は、シールド板金などの追加パーツを用いることなく、チューナの金属ケースを液晶モジュールのリアフレームに直接接地すると同時に強固に固定することができ、チューナコネクタの直近部分の接地を強化することもできるチューナ接地構造を提供することにある。
【課題を解決するための手段】
【０００８】
上記課題を解決するため、本発明に係るチューナ接地構造は、液晶モジュールの板金製のリアフレームに隆起した絞り部を形成し、チューナを搭載したプリント配線基板をリアフレームに重ねて、チューナの金属ケースとプリント配線基板を金属製のビスでリアフレームの絞り部に共締め固定したことを特徴とするものである。
【０００９】
本発明のチューナ接地構造においては、チューナの金属ケースのチューナコネクタ直近箇所をビスで共締め固定することが望ましい。
【発明の効果】
【００１０】
本発明のチューナ接地構造では、チューナの金属ケースが液晶モジュールの板金製のリアフレームに金属製のビスで導通、接地され、チューナの金属ケースのＧＮＤ電位がリアフレームのＧＮＤ電位に落ちる。しかも、チューナの金属ケースとプリント配線基板がリアフレームの絞り部に共締め固定されているので、チューナの固定強度が大きい。また、シールド板金等の追加パーツを使用せず、プリント配線基板固定用のビスを共締め用のビスに変更してチューナの金属ケースを共締め固定するだけでよいため、追加パーツ代が不要となり、組立工数も少なくなって、コストダウンを図ることができる。
【００１１】
特に、チューナの金属ケースのチューナーコネクタ直近箇所をビスで共締め固定した場合は、チューナコネクタ直近箇所の接地が強化され、電波規格等への対応改善を図ることができる。
【図面の簡単な説明】
【００１２】
【図１】本発明の一実施形態に係るチューナ接地構造の説明図である。
【発明を実施するための形態】
【００１３】
以下、図１に基づいて、本発明のチューナ接地構造の一実施形態について説明する。
【００１４】
このチューナ接地構造は、液晶テレビにおいて、チューナ１の金属ケース１ａを液晶モジュール３の板金製のリアフレーム３ａに接地する構造であって、チューナ１はプリント配線基板２に搭載されている。
【００１５】
このチューナ１の金属ケース１ａの内側下部には、チューナ用の配線基板１ｂが収納保持されており、この配線基板１ｂの複数の接続端子１ｃが、金属ケース１ａの側面開口部から両側に突き出している。そして、各接続端子１ｃをメインのプリント配線基板２に半田付けすることによって、チューナ１がプリント配線基板２に搭載されている。
【００１６】
このチューナ１には、アンテナからのコネクタピンを差込み接続するチューナコネクタ１ｄが突設されており、金属ケース１ａの天板部のチューナコネクタ直近箇所にはビス挿通孔１ｅが形成されている。このチューナ１の内部は、共締め用の金属製のビス４が貫通可能な中空構造とされており、チューナ用の配線基板１ｂ及びメインのプリント配線基板２にもビス挿通孔１ｆ，２ａが形成されている。
【００１７】
一方、液晶モジュール３は、板金製のリアフレーム３ａの内側に光反射シート３ｂを設け、この光反射シート３ｂの前方（図１では下方）に冷陰極管３ｃを配設し、複数枚の光学シート３ｄ，３ｅの端部をリアフレーム３ａの二重側板３ｆに重ねてセルガイド３ｇで押え、このセルガイド３ｇに重ねた液晶パネル３ｈの端部をベゼル３ｉで押えて組立てられている。そして、リアフレーム３ａのチューナ１直下部分には、後方（図１では上方）に隆起した絞り部３ｊが形成されており、この絞り部３ｊにはビス孔３ｋが形成されている。尚、絞り部３ｊは、プリント配線基板２をビス止めするためにリアフレーム３ａに最初から形成されているものをそのまま利用してもよいし、チューナ１の取付位置に対応するように絞り部３ｊの位置を変更してもよいし、チューナ１の取付位置に対応して絞り部３ｊを追加して形成してもよい。
【００１８】
チューナ１を搭載したプリント配線基板２は、液晶モジュール３のリアフレーム３ａの絞り部３ｊに重ねられ、共締め用のビス４をチューナ１の金属ケース１ａのビス挿通孔１ｅからチューナ用配線基板１ｂのビス挿通孔１ｆ及びメインのプリント配線基板２のビス挿通孔２ａを通して絞り部３ｊのビス孔３ｋにねじ込むことによって、チューナ１の金属ケース１ａのチューナコネクタ１ｄ直近箇所とプリント配線基板２が、リアフレーム３ａの絞り部３ｊに共締め固定されている。従って、チューナ１の金属ケース１ａがチューナコネクタ１ｄの直近箇所でビス４によってリアフレーム３ａに導通、接地され、チューナ１の金属ケース１ａのＧＮＤ電位がリアフレーム３ａのＧＮＤ電位に落ちる。
【００１９】
このチューナ接地構造は、上記のように、シールド板金等の追加パーツを使用せず、プリント配線基板固定用のビスを共締め用のビス４に変更してチューナ１の金属ケース１ａを共締め固定するだけでよいため、追加パーツ代が不要となり、組立工数も少なくなって、コストダウンを図ることができる。
【００２０】
しかも、このチューナ接地構造のように、チューナ１の金属ケース１ａをチューナコネクタ１ｄの直近箇所でプリント配線基板２と共にビス４でリアフレーム３ａの絞り部３ｊに共締め固定すると、チューナ１の固定強度が大きくなり、安定性が向上するため、アンテナのコネクタピンを抜き差しする際にチューナ１がぐらつく心配も解消される。そして、金属ケース１ａのチューナコネクタ１ｄ直近箇所の接地が強化されるので、電波規格等への対応改善を図ることも可能となる。
【符号の説明】
【００２１】
１    チューナ
１ａ  チューナの金属ケース
１ｄ  チューナコネクタ
１ｅ，１ｆ，２ａ  ビス挿通孔
２    プリント配線基板
３    液晶モジュール
３ａ  板金製のリアフレーム
３ｊ  隆起した絞り部
３ｋ  ビス孔
４    金属製のビス
【図１】
2010212330.tif 000003